(57)【要約】【課題】厚みが薄く、複数の非接触型データ受送信体を財布や定期入れなどの中に収納した状態で、所望の非接触型データ受送信体に対して情報の書込／読出を可能とする磁性シートを提供する。【解決手段】本発明の磁性シート１０は、金属基材１１と、金属基材１１の一方の面１１ａに設けられた磁性層１２とからなる積層シート１３を備え、積層シート１３を第一領域１８と第二領域１９に区分するとともに、その短辺方向に沿って、積層シート１３の両面側に折り曲げ可能な曲領域１７が設けられ、第一領域１８と第二領域１９にはそれぞれ、磁性層１２の金属基材１１と接する面とは反対の面側に、非接触型データ受送信体の保持部１６が設けられたことを特徴とする。【選択図】図１
2009032163.tif 000002
【特許請求の範囲】
【請求項１】
金属基材と、該金属基材の一方の面に設けられた磁性層とからなる積層シートを備え、前記磁性層を２つの領域に区分するとともに、前記積層シートの短辺方向に沿って、前記積層シートの両面側に折り曲げ可能な曲領域が設けられた磁性シートであって、
前記２つの領域にはそれぞれ、少なくとも前記金属基材と接する面とは反対の面側に、非接触型データ受送信体の保持部が設けられたことを特徴とする磁性シート。
【請求項２】
金属基材と、該金属基材の一方の面に設けられた磁性層とからなる積層シートを備え、前記磁性層を３つ以上の領域に区分するとともに、前記積層シートの短辺方向に沿って、前記積層シートの両面側に折り曲げ可能な曲領域が設けられた磁性シートであって、
前記３つ以上の領域にはそれぞれ、少なくとも前記金属基材と接する面とは反対の面側に、非接触型データ受送信体の保持部が設けられたことを特徴とする磁性シート。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電磁波を媒体とし、非接触状態にて、外部から情報を受信し、また外部に情報を送信できるようにした非接触型ＩＣカードなどの非接触型データ受送信体を収納することができるとともに、非接触型データ受送信体に対して情報の書込／読出の誤りを防止するための磁性シートに関し、特に、複数の非接触型データ受送信体を保持した状態で、所望の非接触型データ受送信体に対する情報の書込／読出を可能とする磁性シートに関する。
【背景技術】
【０００２】
非接触型データ受送信体の一例である非接触型ＩＣカードは、基材と、その一方の面に設けられ互いに接続されたアンテナおよびＩＣチップとから構成されるインレットを備えており、情報書込／読出装置からの電磁波を受信すると共振作用によりアンテナに起電力が発生し、この起電力により非接触型ＩＣカード内のＩＣチップが起動し、このＩＣチップ内の情報を信号化し、この信号が非接触型ＩＣカードのアンテナから発信される。
非接触型ＩＣカードから発信された信号は、情報書込／読出装置のアンテナで受信され、コントローラーを介してデータ処理装置へ送られ、識別などのデータ処理が行われる。
【０００３】
近年、このような非接触型ＩＣカードは、電車やバスなどの公共交通機関の定期券や乗車券、コンビニエンスストアやスーパーストアなどの小売店における電子マネーとしての用途が拡大しつつある。それに伴って、個人が所有する非接触型ＩＣカードの枚数も増加する傾向にある。
通常、非接触型ＩＣカードは、必要に応じて財布や定期入れなどから取り出して使用されるか、あるいは、財布や定期入れなどの中に収納した状態で使用される。特に、複数の非接触型ＩＣカードを、財布や定期入れなどの中に重ねたまま収納した状態で使用すると、非接触型ＩＣカードに誤って情報の書込／読出が行われることがあるという問題があった。
【０００４】
そこで、従来、複数の非接触型ＩＣカードをそれぞれ収納する複数のカード収納部を備え、カード収納部間に隔壁部を設けるとともに、隔壁部に導電体部を設け、かつ隔壁部に導電体部を挟んで第１および第２の磁性体を設けた非接触型ＩＣカードホルダーが開示されている（例えば、特許文献１参照）。
【特許文献１】特許第３６３０００６号公報
【発明の開示】
【発明が解決しようとする課題】
【０００５】
しかしながら、特許文献１に開示されている非接触型ＩＣカードホルダーでは、その折り込み方向を選択的に変更することにより、非接触ＩＣカードの使用の可否、または、使用する非接触ＩＣカードを選択的に変更することができないという不便さがあった。
【０００６】
本発明は、前記事情に鑑みてなされたものであって、非接触データ受送信体を保持した状態にて、折り込み方向を選択的に変更することにより、非接触ＩＣカードの使用の可否、または、使用する非接触ＩＣカードを選択的に変更することを可能とする磁性シートを提供することを目的とする。
【課題を解決するための手段】
【０００７】
本発明の磁性シートは、金属基材と、該金属基材の一方の面に設けられた磁性層とからなる積層シートを備え、前記磁性層を２つの領域に区分するとともに、前記積層シートの短辺方向に沿って、前記積層シートの両面側に折り曲げ可能な曲領域が設けられた磁性シートであって、前記２つの領域にはそれぞれ、少なくとも前記金属基材と接する面とは反対の面側に、非接触型データ受送信体の保持部が設けられたことを特徴とする。
【０００８】
本発明の磁性シートは、金属基材と、該金属基材の一方の面に設けられた磁性層とからなる積層シートを備え、前記磁性層を３つ以上の領域に区分するとともに、前記積層シートの短辺方向に沿って、前記積層シートの両面側に折り曲げ可能な曲領域が設けられた磁性シートであって、前記３つ以上の領域にはそれぞれ、少なくとも前記金属基材と接する面とは反対の面側に、非接触型データ受送信体の保持部が設けられたことを特徴とする。
【発明の効果】
【０００９】
本発明の磁性シートは、金属基材と、該金属基材の一方の面に設けられた磁性層とからなる積層シートを備え、前記磁性層を２つの領域に区分するとともに、前記積層シートの短辺方向に沿って、前記積層シートの両面側に折り曲げ可能な曲領域が設けられた磁性シートであって、前記２つの領域にはそれぞれ、少なくとも前記金属基材と接する面とは反対の面側に、非接触型データ受送信体の保持部が設けられたので、曲領域を境にして、金属基材が内側になるように磁性シートを折り曲げることにより、それぞれの領域に保持した非接触型データ受送信体に対して情報の書込／読出をすることができる。また、曲領域を境にして、磁性層が内側になるように磁性シートを折り曲げることにより、全ての非接触型データ受送信体に対して情報の書込／読出ができなくなるので、誤って非接触型データ受送信体に対して情報の書込／読出がなされることはない。したがって、非接触データ受送信体を保持した状態にて、磁性シートの折り込み方向を選択的に変更することにより、非接触ＩＣカードの使用の可否、または、使用する非接触ＩＣカードを選択的に変更することができる。
【００１０】
本発明の磁性シートは、金属基材と、該金属基材の一方の面に設けられた磁性層とからなる積層シートを備え、前記磁性層を３つ以上の領域に区分するとともに、前記積層シートの短辺方向に沿って、前記積層シートの両面側に折り曲げ可能な曲領域が設けられた磁性シートであって、前記３つ以上の領域にはそれぞれ、少なくとも前記金属基材と接する面とは反対の面側に、非接触型データ受送信体の保持部が設けられたので、曲領域を境にして、金属基材が内側になるように磁性シートを巻き折りすることにより、それぞれの領域に保持した非接触型データ受送信体を選択的に使用することができる。すなわち、使用しない非接触型データ受送信体を磁性シートの内側に巻き込み、使用する非接触型データ受送信体を磁性シートの外面に配するだけで、非接触型データ受送信体の入れ替えをすることなく、所望の非接触型データ受送信体のみに対して情報の書込／読出をすることができる。したがって、非接触型データ受送信体の紛失事故を予防することもできる。また、曲領域を境にして、磁性層が内側になるように磁性シートを巻き折りすることにより、全ての非接触型データ受送信体に対して情報の書込／読出ができなくなるので、誤って非接触型データ受送信体に対して情報の書込／読出がなされることはない。
【発明を実施するための最良の形態】
【００１１】
本発明の磁性シートの最良の形態について説明する。
なお、この形態は、発明の趣旨をより良く理解させるために具体的に説明するものであり、特に指定のない限り、本発明を限定するものではない。
【００１２】
「第一の実施形態」
図１は、本発明の磁性シートの第一の実施形態を示す概略図であり、（ａ）は平面図、（ｂ）は（ａ）のＡ−Ａ線に沿う断面図、（ｃ）は（ａ）および（ｂ）の磁性シートを折り曲げた状態を示す断面図である。
この実施形態の磁性シート１０は、金属基材１１、および、この金属基材１１の一方の面１１ａに設けられた磁性層１２からなる積層シート１３と、この積層シート１３を挟み、その表面全面を被覆する第一被覆材１４および第二被覆材１５と、非接触型データ受送信体を保持する保持部１６とから概略構成されている。
【００１３】
また、積層シート１３の中央部、すなわち、磁性シート１０の中央部には、その短辺方向に沿って、磁性シート１０を、積層シート１３の両面側に折り曲げ可能とする曲領域１７が設けられている。また、磁性層１２は、この曲領域１７を境にして、第一領域１８と第二領域１９に区分されている。
この曲領域１７は、磁性シート１０に設けた折り癖、第一被覆材１４および第二被覆材１５のいずれか一方、あるいは両方に設けたハーフスリット、スリット、ミシン目などで形成されている。
【００１４】
また、保持部１６は、磁性層１２の第一領域１８および第二領域１９の四隅に対応する位置、かつ、第一被覆材１４の表面１４ａ、すなわち、磁性層１２の金属基材１１と接する面とは反対の面側に、三角形の袋状をなして設けられている。
【００１５】
さらに、磁性シート１０の大きさは、図１（ｃ）に示すように、曲領域１７を境にして、その長手方向に折り曲げた場合に、積層シート１３の第一領域１８および第二領域１９の大きさが、磁性シート１０の間に挟み込まれる非接触型データ受送信体と同等程度となるようになっている。
【００１６】
金属基材１１としては、アルミニウム、銀、銅などの金属からなるフィルム状、シート状、繊維状の金属を編んで作製した布状のものなどが用いられる。
【００１７】
磁性層１２をなす複合体は、磁性微粒子からなるフィラーと、樹脂とから概略構成されている。
この複合体は、磁性微粒子からなるフィラーと、樹脂と、添加剤と、溶媒とを含む磁性塗料を塗布、乾燥することによって、磁性微粒子がほぼ均一に分散した形態に成形される。
【００１８】
また、磁性微粒子としては、粉末状の磁性体粉末、または、この磁性体粉末をボールミルなどで微細化して粉末を成形した後、この粉末を機械的に扁平化して得られた扁平状のフレークなどからなる磁性体フレークが挙げられる。これらの中でも、磁性微粒子としては、扁平状のものが好ましい。磁性微粒子が扁平状であれば、磁性シート１０を第一被覆材１４の表面側から見て、磁性層１２を構成する多数の磁性微粒子が、少なくともその一部が互いに重なり、隣接した１つの磁性体を形成しやすい。したがって、より磁束が磁性層１２を通って、この磁性シート１０の第一被覆材１４側に配された非接触型データ受送信体のアンテナに捕捉され易くなる。
【００１９】
さらに、磁性体粉末としては、例えば、センダスト（Ｆｅ−Ｓｉ−Ａｌ合金）粉末、カーボニル鉄粉末、パーマロイなどのアトマイズ粉末、還元鉄粉末などが挙げられる。磁性体フレークとしては、例えば、前記磁性体粉末をボールミルなどで微細化して粉末を成形した後、この粉末を機械的に扁平化して得られたフレークや、鉄系またはコバルト系アモルファス合金の溶湯を水冷銅板に衝突させて得られたフレークなどが挙げられる。これらの中でも、磁性微粒子としては、センダストからなる磁性体粉末または磁性体フレークが好ましく、センダストからなる磁性体フレークがより好ましい。磁性微粒子が、センダストからなる磁性体粉末または磁性体フレークであれば、これらを構成要素として含む磁性層１２の飽和磁束密度および透磁率が高くなるので、より磁束が磁性層を通ってアンテナに捕捉され易くなる。
【００２０】
なお、磁性層１２をなす磁性微粒子の形状は、その全てが粉末状あるいは扁平状のいずれか一方である必要はない。磁性層１２には、粉末状の磁性微粒子と扁平状の磁性微粒子が混在していてもよく、このように形状の異なる磁性微粒子が混在していても、磁性シート１０は十分に効果を発揮する。
【００２１】
磁性層１２をなす複合体を構成する樹脂としては、熱可塑性樹脂、熱硬化性樹脂、反応型樹脂などが挙げられる。
熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、あるいは、スチレン系ゴム、フッ素系ゴム、シリコン系ゴム、エチレン・プロピレン共重合体ゴムなどのポリマー系の合成ゴム材料などが挙げられる。
【００２２】
熱硬化性樹脂または反応型樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂などが挙げられる。
【００２３】
また、磁性層１２をなす複合体には、磁性層１２に粘着性を付与するために、各種粘着剤が含まれていてもよい。
【００２４】
また、磁性層１２をなす複合体を形成するために用いられる磁性塗料に含まれる添加剤としては、粘度調整剤、消泡剤、レベリング剤などが挙げられる。
【００２５】
さらに、この磁性塗料に含まれる溶媒としては、シクロヘキサノン、アセトン、ベンゼン系、エチル系などの有機溶媒が挙げられる。
【００２６】
第一被覆材１４、第二被覆材１５としては、透明あるいは不透明の熱可塑性樹脂からなるフィルム状あるいはシート状のものが用いられる。このような熱可塑性樹脂としては、例えば、ポリエチレンテレフタレート（ＰＥＴ）などのポリエステル系樹脂、ポリカーボネート系樹脂、ポリアミド系樹脂、ポリプロピレン（ＰＰ）やポリエチレン（ＰＥ）などのポリオレフィン系樹脂、アクリル系樹脂などが挙げられる。
【００２７】
保持部１６は、第一被覆材１４の表面１４ａに、熱可塑性樹脂からなるフィルム状あるいはシート状の基材を融着または接着して設けられたものである。この基材をなす熱可塑性樹脂としては、第一被覆材１４をなす熱可塑性樹脂と同様のものが用いられる。
【００２８】
この実施形態の磁性体シート１０を製造するには、先ず、スピンコート法、ロールコート法、スプレーコート法、バーコート法、ディップコート法、フローコート法などの塗布方法により、金属基材１１の一方の面１１ａに、上記の磁性体粉末を含有する磁性塗料を塗布して塗膜を形成する。
次いで、この塗布膜を、大気中にて乾燥するか、あるいは、乾燥・熱処理し、磁性層１２を形成し、金属基材１１および磁性層１２からなる積層シート１３を作製する。
【００２９】
次いで、第一被覆材１４と第二被覆材１５により、この積層シート１３を挟み込んだ後、（１）積層シート１３、第一被覆材１４および第二被覆材１５から構成される積層物を、熱圧処理し、第一被覆材１４と第二被覆材１５を融着するか、あるいは、（２）積層シート１３と、第一被覆材１４および第二被覆材１５との間に介在させた接着剤を加熱、紫外線照射、電子線照射、エージング〔放置して時間とともに硬化反応をさせていくこと〕処理などにより硬化する、ことにより、積層シート１３、第一被覆材１４および第二被覆材１５を一体化する。
さらに、第一被覆材１４の表面１４ａに、熱可塑性樹脂からなるフィルム状あるいはシート状の基材を融着または接着して保持部１６を形成し、磁性シート１０が得られる。
【００３０】
次に、図１および２を参照して、この実施形態の磁性シートの作用について、非接触型データ受送信体として、非接触型ＩＣカードを複数枚使用する場合を例に挙げて説明する。
図２は、この実施形態の磁性シートの使用方法を示す概略断面図である。
【００３１】
図１（ｃ）、図２に示すように、第二被覆材１５が内側になるように、すなわち、金属基材１１が内面側かつ磁性層１２が外面側となるように、曲領域１７を境にして、磁性シート１０を折り曲げる。
次いで、使用しない非接触型ＩＣカード２３を磁性シート１０で挟み込んで、その内面側に収納し、使用する非接触型ＩＣカード２１，２２の四隅を第一被覆材１４の表面１４ａに設けた保持部１６に差し込んで、非接触型ＩＣカード２１，２２を第一被覆材１４上に配する。
【００３２】
この状態で、非接触型ＩＣカード２１に情報書込／読出装置のアンテナを対向させると、非接触型ＩＣカード２１の背面（第一被覆材１４と接する面）側には磁性層１２が存在するので、情報書込／読出装置からの電磁誘導により非接触型ＩＣカード２１のアンテナに電流が流れる。
そして、非接触型ＩＣカード２１のアンテナを流れる電流が、非接触型ＩＣカード２１のＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
同様に、非接触型ＩＣカード２２に情報書込／読出装置のアンテナを対向させると、情報書込／読出装置からの電磁誘導により非接触型ＩＣカード２２に対して、情報の書込／読出を行うことができる。
【００３３】
一方、磁性シート１０の内面側に収納された非接触型ＩＣカード２３は、その周囲が金属基材１１に覆われているので、非接触型ＩＣカード２１あるいは非接触型ＩＣカード２２に情報書込／読出装置のアンテナを対向させても、誤って非接触型ＩＣカード２３に対して、情報の書込／読出がなされることはない。
【００３４】
また、非接触型ＩＣカード２１と非接触型ＩＣカード２２の間には、金属基材１１が存在するので、非接触型ＩＣカード２１に情報書込／読出装置のアンテナを対向させた場合、誤って非接触型ＩＣカード２２に対して、情報の書込／読出がなされることはない。
同様に、非接触型ＩＣカード２２に情報書込／読出装置のアンテナを対向させた場合、誤って非接触型ＩＣカード２１に対して、情報の書込／読出がなされることはない。
【００３５】
この実施形態の磁性シート１０によれば、フィルム状あるいはシート状の金属基材１１、磁性塗料により形成された磁性層１２、並びに、熱可塑性樹脂からなる第一被覆材１４および第二被覆材１５から構成され、中央部には、その短辺方向に沿って、磁性シート１０を、積層シート１３の両面側に折り曲げ可能とする曲領域１７が設けられているので、曲領域１７を境にして、第二被覆材１５、すなわち、金属基材１１が内側になるように磁性シート１０を折り曲げることにより、それぞれの領域に保持した非接触型ＩＣカード２１、２２に対して情報の書込／読出をすることができる。一方、第一被覆材１５、すなわち、磁性層１２が内側になるように磁性シート１０を折り曲げれば、金属基材１１を背面とする非接触型ＩＣカード２３が外面に配され、この非接触型ＩＣカード２３は渦電流により共振周波数がずれて読み取れなくなる。その結果、第一被覆材１４側および第二被覆材１５側に保持した、全ての非接触型ＩＣカードを読み取り不可とすることができ、折り込み方向によって、磁性カード１０の外面に保持した非接触型ＩＣカードを選択的に読み取り可または不可を切り替えることができる。
【００３６】
なお、この実施形態では、第一被覆材１４と第二被覆材１５により、この積層シート１３を挟み込んでなる磁性シート１０を例示したが、本発明の磁性シートはこれに限定されない。本発明の磁性シートは、積層シートのみからなる構成であってもよい。
また、この実施形態の磁性シート１０には、金属基材１１の外面（第二被覆材１５と接する面）または磁性層１２の外面（第一被覆材１４と接する面）に、それぞれを識別するための印刷情報を設けておいてもよい。
【００３７】
また、この実施形態では、第一被覆材１４の表面１４ａに保持部１６が設けられた磁性シート１０を例示したが、本発明の磁性シートはこれに限定されない。本発明の磁性シートにあっては、金属基材の磁性層と接する面とは反対の面側（この実施形態では、第二被覆材１５の表面）に、保持部が設けられていてもよい。
また、この実施形態では、磁性層１２の第一領域１８および第二領域１９の四隅に対応する位置に、三角形の袋状の保持部１６が設けられた磁性シート１０を例示したが、本発明の磁性シートはこれに限定されない。本発明の磁性シートにあっては、非接触型データ受送信体の保持部として、第一領域および第二領域のそれぞれに、非接触型データ受送信体の一部または全部を収納する収納部が１つ設けられていてもよい。
また、この実施形態では、曲領域１７にも金属基材１１および磁性層１２が存在する磁性シート１０を例示したが、本発明の磁性シートはこれに限定されない。本発明の磁性シートにあっては、曲領域には少なくとも金属基材または磁性層のいずれか一方が存在しているか、あるいは、曲領域が被覆材のみで形成されていてもよい。このようにすれば、磁性シートを曲領域において折り曲げ易くすることができる。
【００３８】
さらに、この実施形態では、磁性シート１０で挟まれた非接触型ＩＣカード２３の脱落による紛失を防止するために、磁性シート１０を折り曲げた状態で、その開口部を閉じる機構（部材）を設けてもよい。
【００３９】
「第二の実施形態」
図３は、本発明の磁性シートの第二の実施形態を示す概略断面図である。
この実施形態の磁性シート３０は、金属基材３１、および、この金属基材３１の一方の面３１ａに設けられた磁性層３２からなる積層シート３３と、非接触型データ受送信体を保持する保持部３４とから概略構成されている。
【００４０】
また、磁性シート３０（積層シート３３）には、その短辺方向に沿って、磁性シート３０を、積層シート３３の両面側に折り曲げ可能とする曲領域３５、３６が設けられている。また、磁性層３２は、この曲領域３５、３６を境にして、第一領域３７と第二領域３８と第三領域３９に区分されている。
この曲領域３５、３６は、磁性シート３０に設けた折り癖、金属基材３１または磁性層３２のいずれか一方、あるいは両方に設けたハーフスリット、スリット、ミシン目などで形成されている。
【００４１】
また、保持部３４は、磁性層３２の第一領域３７、第二領域３８および第三領域３９の四隅、かつ、磁性層３２の金属基材３１と接する面とは反対の面（以下、「一面」とする。）３２ａに、三角形の袋状をなして設けられている。
【００４２】
金属基材３１としては、上記の金属基材１１と同様のものが用いられる。
磁性層３２をなす複合体としては、上記の磁性層１２をなす複合体と同様のものが用いられる。
保持部３４は、上記の保持部１６と同様の熱可塑性樹脂からなるフィルム状あるいはシート状の基材から構成されている。
【００４３】
次に、図３〜５を参照して、この実施形態の磁性シートの作用について、非接触型データ受送信体として、非接触型ＩＣカードを複数枚使用する場合を例に挙げて説明する。
図４、５は、この実施形態の磁性シートの使用方法を示す概略断面図である。
【００４４】
（第一の使用方法）
非接触型ＩＣカード（図示略）の四隅を、磁性層３２の一面３２ａに設けた保持部３４に差し込んで、磁性層３２の第一領域３７、第二領域３８および第三領域３９に、非接触型ＩＣカードを保持する。
次いで、図４に示すように、第二領域３８と第三領域３９それぞれの保持部３４が外面側になるように、曲領域３６を境にして、磁性シート３０を折り曲げ、第二領域３８と第三領域３９を対向させる。
次いで、第一領域３７で第三領域３９を覆うように、曲領域３５を境にして、磁性シート３０を折り曲げ、第一領域３７と第三領域３９を対向させ、磁性シート３０を巻き折りし、その最表面に第一領域３７と第二領域３８を配する。
【００４５】
この状態で、第一領域３７に保持された非接触型ＩＣカードに情報書込／読出装置のアンテナを対向させると、この非接触型ＩＣカードの背面側には磁性層３２が存在するので、情報書込／読出装置からの電磁誘導により非接触型ＩＣカードのアンテナに電流が流れる。
そして、非接触型ＩＣカードのアンテナを流れる電流が、非接触型ＩＣカードのＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
同様に、第二領域３８に保持された非接触型ＩＣカードの背面側には磁性層３２が存在するので、この非接触型ＩＣカードに情報書込／読出装置のアンテナを対向させると、情報書込／読出装置からの電磁誘導により、この非接触型ＩＣカードに対して、情報の書込／読出を行うことができる。
【００４６】
一方、磁性シート３０の内面側に折り込まれ、第一領域３７と第二領域３８に挟まれた第三領域３９に保持された非接触型ＩＣカードは、その周囲が金属基材３１に覆われているので、第一領域３７または第二領域３８の非接触型ＩＣカードに情報書込／読出装置のアンテナを対向させても、誤って第三領域３９の非接触型ＩＣカードに対して、情報の書込／読出がなされることはない。
【００４７】
また、第一領域３７の非接触型ＩＣカードと、第二領域３８の非接触型ＩＣカードとの間には、金属基材３１が存在するので、一方の非接触型ＩＣカードに情報書込／読出装置のアンテナを対向させた場合、誤って他方の非接触型ＩＣカードに対して、情報の書込／読出がなされることはない。
【００４８】
（第二の使用方法）
磁性層３２の第一領域３７、第二領域３８および第三領域３９に、非接触型ＩＣカード（図示略）を保持する。
図５に示すように、第一領域３７と第二領域３８それぞれの保持部３４が外面側になるように、曲領域３５を境にして、磁性シート３０を折り曲げ、第一領域３７と第二領域３８を対向させる。
次いで、第三領域３９で第一領域３７を覆うように、曲領域３６を境にして、磁性シート３０を折り曲げ、第三領域３９と第一領域３７を対向させ、磁性シート３０を巻き折りし、その最表面に第二領域３８と第三領域３９を配する。
【００４９】
この状態で、第二領域３８に保持された非接触型ＩＣカードまたは第三領域３９に保持された非接触型ＩＣカードに情報書込／読出装置のアンテナを対向させると、情報書込／読出装置からの電磁誘導により非接触型ＩＣカード３４に対して、情報の書込／読出を行うことができる。
【００５０】
一方、第二領域３８または第三領域３９の非接触型ＩＣカードに情報書込／読出装置のアンテナを対向させても、誤って第一領域３７の非接触型ＩＣカードに対して、情報の書込／読出がなされることはない。
【００５１】
また、第二領域３８の非接触型ＩＣカードと第三領域３９の非接触型ＩＣカードの一方に情報書込／読出装置のアンテナを対向させた場合、誤って他方に対して、情報の書込／読出がなされることはない。
【００５２】
この実施形態の磁性シート３０によれば、フィルム状あるいはシート状の金属基材３１と、磁性塗料により形成された磁性層３２とから構成され、その短辺方向に沿って、磁性シート３０を、積層シート３３の両面側に折り曲げ可能とする曲領域３５、３６が設けられているので、曲領域３５、３６を境にして、磁性シート３０を巻き折りすることにより、第一領域３７、第二領域３８および第三領域３９のそれぞれに保持した非接触型ＩＣカードを選択的に使用することができる。すなわち、使用しない非接触型ＩＣカードを磁性シート３０の内側に巻き込み、使用する非接触型ＩＣカードを磁性シート３０の外面に配するだけで、非接触型ＩＣカードの入れ替えをすることなく、所望の非接触型ＩＣカードのみに対して情報の書込／読出をすることができる。したがって、非接触型ＩＣカードの紛失事故を予防することもできる。
【００５３】
なお、この実施形態では、積層シート３３のみからなる磁性シート３０を例示したが、本発明の磁性シートはこれに限定されない。本発明の磁性シートは、第一被覆材と第二被覆材により、この積層シートを挟み込んだ構成であってもよい。
また、この実施形態の磁性シート３０には、金属基材３１の外面（磁性層３２と接する面とは反対の面）または磁性層３２の一面３２ａに、それぞれを識別するための印刷情報を設けておいてもよい。
【００５４】
また、この実施形態では、磁性層３２の一面３２ａに保持部３４が設けられた磁性シート３０を例示したが、本発明の磁性シートはこれに限定されない。本発明の磁性シートにあっては、金属基材の磁性層と接する面とは反対の面側（この実施形態では、金属基材３１の外面）に、保持部が設けられていてもよい。
また、この実施形態では、磁性層３２の第一領域３７、第二領域３８および第三領域３９の四隅に対応する位置に、三角形の袋状の保持部３４が設けられた磁性シート３０を例示したが、本発明の磁性シートはこれに限定されない。本発明の磁性シートにあっては、非接触型データ受送信体の保持部として、第一領域、第二領域および第三領域のそれぞれに、非接触型データ受送信体の一部または全部を収納する収納部が１つ設けられていてもよい。
さらに、この実施形態では、曲領域３５、３６にも金属基材３１および磁性層３２が存在する磁性シート３０を例示したが、本発明の磁性シートはこれに限定されない。本発明の磁性シートにあっては、曲領域には金属基材または磁性層のいずれか一方が存在していればよい。このようにすれば、磁性シートを曲領域において折り曲げ易くすることができる。
【００５５】
「第三の実施形態」
図６は、本発明の磁性シートの第三の実施形態を示す概略断面図である。
この実施形態の磁性シート４０は、金属基材４１、および、この金属基材４１の一方の面４１ａに設けられた磁性層４２からなる積層シート４３と、非接触型データ受送信体を保持する保持部４４とから概略構成されている。
【００５６】
また、磁性シート４０（積層シート４３）には、その短辺方向に沿って、磁性シート４０を、積層シート４３の両面側に折り曲げ可能とする曲領域４５、４６、４７が設けられている。また、磁性層４２は、この曲領域４５、４６、４７を境にして、第一領域４８と第二領域４９と第三領域５０と第四領域５１に区分されている。
この曲領域４５、４６、４７は、磁性シート４０に設けた折り癖、金属基材４１または磁性層４２のいずれか一方、あるいは両方に設けたハーフスリット、スリット、ミシン目などで形成されている。
また、曲領域４６は、金属基材４１が存在しておらず、磁性層４２のみから形成されている。
【００５７】
また、保持部４４は、磁性層４２の第一領域４８、第二領域４９、第三領域５０および第四領域５１の四隅、かつ、磁性層４２の一面４２ａに、三角形の袋状をなして設けられている。
【００５８】
金属基材４１としては、上記の金属基材１１と同様のものが用いられる。
磁性層４２をなす複合体としては、上記の磁性層１２をなす複合体と同様のものが用いられる。
保持部４４は、上記の保持部１６と同様の熱可塑性樹脂からなるフィルム状あるいはシート状の基材から構成されている。
【００５９】
次に、図６〜８を参照して、この実施形態の磁性シートの作用について、非接触型データ受送信体として、非接触型ＩＣカードを複数枚使用する場合を例に挙げて説明する。
図７、８は、この実施形態の磁性シートの使用方法を示す概略断面図である。
【００６０】
（第一の使用方法）
非接触型ＩＣカード（図示略）の四隅を、磁性層４２の一面４２ａに設けた保持部４４に差し込んで、磁性層４２の第一領域４８、第二領域４９、第三領域５０および第四領域５１に、非接触型ＩＣカードを保持する。
次いで、図７に示すように、第一領域４８と第二領域４９それぞれの保持部４４が外面側になるように、曲領域４５を境にして、磁性シート４０を折り曲げ、第一領域４８と第二領域４９を対向させる。
次いで、第三領域５０で第一領域４８を覆うように、曲領域４６を境にして、磁性シート４０を折り曲げ、第三領域５０と第一領域４８を対向させる。
次いで、第四領域５１で第二領域４９を覆うように、曲領域４７を境にして、磁性シート４０を折り曲げ、第四領域５１と第二領域４９を対向させ、磁性シート４０を巻き折りし、その最表面に第三領域５０と第四領域５１を配する。
【００６１】
この状態で、第三領域５０に保持された非接触型ＩＣカードに情報書込／読出装置のアンテナを対向させると、この非接触型ＩＣカードの背面側には磁性層４２が存在するので、情報書込／読出装置からの電磁誘導により非接触型ＩＣカードのアンテナに電流が流れる。
そして、非接触型ＩＣカードのアンテナを流れる電流が、非接触型ＩＣカードのＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
同様に、第四領域５１に保持された非接触型ＩＣカードの背面側には磁性層４２が存在するので、この非接触型ＩＣカードに情報書込／読出装置のアンテナを対向させると、情報書込／読出装置からの電磁誘導により、この非接触型ＩＣカードに対して、情報の書込／読出を行うことができる。
【００６２】
一方、磁性シート４０の内面側に折り込まれ、第三領域５０と第四領域５１に挟まれた、第一領域４８および第二領域４９に保持された非接触型ＩＣカードは、その周囲が金属基材４１に覆われているので、第三領域５０または第四領域５１の非接触型ＩＣカードに情報書込／読出装置のアンテナを対向させても、誤って第一領域４８および第二領域４９の非接触型ＩＣカードに対して、情報の書込／読出がなされることはない。
【００６３】
また、第三領域５０の非接触型ＩＣカードと、第四領域５１の非接触型ＩＣカードとの間には、金属基材４１が存在するので、一方の非接触型ＩＣカードに情報書込／読出装置のアンテナを対向させた場合、誤って他方の非接触型ＩＣカードに対して、情報の書込／読出がなされることはない。
【００６４】
（第二の使用方法）
磁性層４２の第一領域４８、第二領域４９、第三領域５０および第四領域５１に、非接触型ＩＣカード（図示略）を保持する。
図８に示すように、第三領域５０と第四領域５１それぞれの保持部４４が外面側になるように、曲領域４７を境にして、磁性シート４０を折り曲げ、第三領域５０と第四領域５１を対向させる。
次いで、第二領域４９で第四領域５１を覆うように、曲領域４６を境にして、磁性シート４０を折り曲げ、第二領域４９と第四領域５１を対向させ、
次いで、第一領域４８で第三領域５０を覆うように、曲領域４５を境にして、磁性シート４０を折り曲げ、第一領域４８と第三領域５０を対向させ、磁性シート４０を巻き折りし、その最表面に第一領域４８と第二領域４９を配する。
【００６５】
この状態で、第一領域４８に保持された非接触型ＩＣカードまたは第二領域４９に保持された非接触型ＩＣカードに情報書込／読出装置のアンテナを対向させると、情報書込／読出装置からの電磁誘導により非接触型ＩＣカードに対して、情報の書込／読出を行うことができる。
【００６６】
一方、第一領域４８または第二領域４９の非接触型ＩＣカードに情報書込／読出装置のアンテナを対向させても、誤って第三領域５０および第四領域５１の非接触型ＩＣカードに対して、情報の書込／読出がなされることはない。
【００６７】
また、第一領域４８の非接触型ＩＣカードと第二領域４９の非接触型ＩＣカードの一方に情報書込／読出装置のアンテナを対向させた場合、誤って他方に対して、情報の書込／読出がなされることはない。
【００６８】
この実施形態の磁性シート３０によれば、フィルム状あるいはシート状の金属基材４１と、磁性塗料により形成された磁性層４２とから構成され、その短辺方向に沿って、磁性シート４０を、積層シート４３の両面側に折り曲げ可能とする曲領域４５、４６、４７が設けられているので、曲領域４５、４６、４７を境にして、磁性シート４０を巻き折りすることにより、第一領域４８、第二領域４９、第三領域５０および第四領域５１のそれぞれに保持した非接触型ＩＣカードを選択的に使用することができる。すなわち、使用しない非接触型ＩＣカードを磁性シート４０の内側に巻き込み、使用する非接触型ＩＣカードを磁性シート４０の外面に配するだけで、非接触型ＩＣカードの入れ替えをすることなく、所望の非接触型ＩＣカードのみに対して情報の書込／読出をすることができる。したがって、非接触型ＩＣカードの紛失事故を予防することもできる。
【００６９】
なお、この実施形態では、積層シート４３のみからなる磁性シート４０を例示したが、本発明の磁性シートはこれに限定されない。本発明の磁性シートは、第一被覆材と第二被覆材により、この積層シートを挟み込んだ構成であってもよい。
また、この実施形態の磁性シート４０には、金属基材４１の外面（磁性層４２と接する面とは反対の面）または磁性層４２の一面４２ａに、それぞれを識別するための印刷情報を設けておいてもよい。
【００７０】
また、この実施形態では、磁性層４２の一面４２ａに保持部４４が設けられた磁性シート４０を例示したが、本発明の磁性シートはこれに限定されない。本発明の磁性シートにあっては、金属基材の磁性層と接する面とは反対の面側（この実施形態では、金属基材４１の外面）に、保持部が設けられていてもよい。
また、この実施形態では、磁性層４２の第一領域４８、第二領域４９、第三領域５０および第四領域５１の四隅に対応する位置に、三角形の袋状の保持部４４が設けられた磁性シート４０を例示したが、本発明の磁性シートはこれに限定されない。本発明の磁性シートにあっては、非接触型データ受送信体の保持部として、第一領域、第二領域、第三領域および第四領域のそれぞれに、非接触型データ受送信体の一部または全部を収納する収納部が１つ設けられていてもよい。
さらに、この実施形態では、曲領域４６に金属基材４１が存在しない磁性シート４０を例示したが、本発明の磁性シートはこれに限定されない。本発明の磁性シートにあっては、曲領域には少なくとも金属基材または磁性層のいずれか一方が存在していればよい。このようにすれば、磁性シートを曲領域において折り曲げ易くすることができる。
【００７１】
また、第二の実施形態では３つの領域を有する磁性シート３０を例示し、第三の実施形態では４つの領域を有する磁性シート４０を例示したが、本発明の磁性シートはこれに限定されない。本発明の磁性シートは、曲領域を境にして５つ以上の領域を有するものであってもよい。５つ以上の領域を有する磁性シートにあっても、その使用方法および作用・効果は、上述の第二の実施形態および第三の実施形態と同様である。
【図面の簡単な説明】
【００７２】
【図１】本発明の磁性シートの第一の実施形態を示す概略図であり、（ａ）は平面図、（ｂ）は（ａ）のＡ−Ａ線に沿う断面図、（ｃ）は（ａ）および（ｂ）の磁性シートを折り曲げた状態を示す断面図である。
【図２】本発明の磁性シートの第一の実施形態の使用方法を示す概略断面図である。
【図３】本発明の磁性シートの第二の実施形態を示す概略断面図である。
【図４】本発明の磁性シートの第二の実施形態の使用方法を示す概略断面図である。
【図５】本発明の磁性シートの第二の実施形態の使用方法を示す概略断面図である。
【図６】本発明の磁性シートの第三の実施形態を示す概略断面図である。
【図７】本発明の磁性シートの第三の実施形態の使用方法を示す概略断面図である。
【図８】本発明の磁性シートの第三の実施形態の使用方法を示す概略断面図である。
【符号の説明】
【００７３】
１０，３０，４０・・・磁性シート、１１，３１，４１・・・金属基材、１２，３２，４２・・・磁性層、１３，３３，４３・・・積層シート、１４・・・第一被覆材、１５・・・第二被覆材、１６，３４，４４・・・保持部、１７，３５，３６，４５，４６，４７・・・曲領域、１８，３７，４８・・・第一領域、１９，３８，４９・・・第二領域、３９，５０・・・第三領域、５１・・・第四領域。
【図１】
2009032163.tif 000003
【図２】
2009032163.tif 000004
【図３】
2009032163.tif 000005
【図４】
2009032163.tif 000006
【図５】
2009032163.tif 000007
【図６】
2009032163.tif 000008
【図７】
2009032163.tif 000009
【図８】
2009032163.tif 000010